(57)【特許請求の範囲】
【請求項１】
平面視略矩形状の基板と、基板表面の両端部に形成される第１および第２の電極パターンと、前記第１の電極パターン上に搭載される発光ダイオ−ド（ＬＥＤ）チップと、前記ＬＥＤチップと第２の電極パターンにワイヤボンデングで接続される金属線と、前記ＬＥＤチップおよび金属線を封止する透光性樹脂モールドとを備えるチップ型発光装置において、前記第１の電極パターン側の基板の端縁に一個所の切欠部を形成する一方、前記第２の電極パターン側の基板の端縁両側に二個所の切欠部を形成し、前記透光性樹脂モールドの両端の位置を基板の長さ方向の両端の位置に延在させたことを特徴とするチップ型発光装置。
【発明の詳細な説明】
【０００１】
【発明の属する技術分野】
本発明は、基板の長さ方向で左右対称の光度分布が得られると共に、ワイヤボンデングの信頼性を高めることができる、発光ダイオ−ド（ＬＥＤ）チップを用いた超小型のチップ型発光装置に関する。
【０００２】
【従来の技術】
従来、発光源として発光ダイオ−ド（ＬＥＤ）チップを用いた小型のチップ型発光装置が知られている。図２はこのようなチップ型発光装置の一例を示す斜視図である。図２において、基板２の両端部に銅（Ｃｕ）メッキ層等の導電層よりなる一対の電極パターン３、４が形成される。一方の電極パターン３は、表面側電極３ａ、側面電極３ｂ、裏面側電極３ｃで構成される。
【０００３】
他方の電極パターン４も、表面側電極４ａ、側面電極４ｂ、裏面側電極４ｃで構成されている。一対の電極パターン３、４の側面電極３ｂ、側面電極４ｂは、分割されることにより基板２が得られる元の大きな基板に長穴状のスルーホールを複数平行に形成し、この長穴状のスルーホールの内壁面にＣｕ等のメッキを施して形成され、一対の電極パターン３、４の表面側電極３ａ、４ａと裏面側電極３ｃ、４ｃとを接続する。
【０００４】
一方の電極パターン３の表面側電極３ａには、パッド部３ｐを形成し、ＬＥＤチップ１をダイボンデングにより搭載する。ＬＥＤチップ１の電極１ａに金属線５の一方端５ａをワイヤボンデングにて電気的に接続する。金属線５の他方端５ｂは、他方の電極パターン４の表面側電極４ａにワイヤボンデングにて電気的に接続する。このワイヤボンデング処理には、超音波が用いられる。
【０００５】
基板２にダイボンデングにより一方の電極パターン３の表面側電極３ａに下部電極を接続して搭載されたＬＥＤチップ１と、ＬＥＤチップ１の上部電極１ａおよび他方の電極パターン４の表面側電極４ａにワイヤボンデングにて電気的に接続された金属線５は、透光性樹脂モールド６により封止される。この透光性樹脂モールド６の両端の位置は、基板２の両端縁より内側の位置に離間して形成されている。このようにして、チップ型発光装置２０が形成される。
【０００６】
チップ型発光装置２０は、プリント基板等への自動実装時の搬送等のハンドリングの際に、チャックにより透光性樹脂モールド６の部分が吸着されて移送される。図２の構成では、一対の電極パターン３、４の表面側電極３ａ、４ａの内側に透光性樹脂モールド６の両端部が位置している。このため、チップ型発光装置２０の基板２の長さよりも透光性樹脂モールド６の長さが短く吸着面が少なくなり、基板２のサイズ（長さ×幅）が、例えば１．６ｍｍ×０．８ｍｍ以下の小型になると、前記ハンドリング処理が円滑に行えないという問題がある。
【０００７】
図３、図４は他のチップ型発光装置の従来例を示す斜視図であり、基板２の両端縁に半円形状の切欠部７、８が形成された例である。また、図５は図３のチップ型発光装置の光度Ｉの分布を示す特性図である。図３、図４において、図２と同じところまたは対応する部分には同じ符号を付している。図３の例では、一対の電極パターン３、４の側面電極３ｂ、４ｂは、基板２の両端縁に半円形状に形成されている切欠部７、８の内周面に形成される。
【０００８】
また、一対の電極パターン３、４の表面側電極３ａ、４ａは、切欠部７、８の上面を覆う位置まで延在しており、透光性樹脂モールド６の両端の位置は基板２の長さ方向の両端縁の位置と揃えられている。図３の例では、切欠部７、８の表面は、一対の電極パターン３，４の表面側電極３ａ、４ａで覆われているので、透光性樹脂モールド６のモールド処理の際に、樹脂が切欠部７、８内に侵入しない。
【０００９】
このように図３の例では、透光性樹脂モールド６の両端の位置は基板２の長さ方向の両端縁の位置に延在しているので、チップ型発光装置３０が小型化されても透光性樹脂モールド６の表面面積を、前記ハンドリング処理が円滑に行える程度に確保できるという利点がある。
【００１０】
しかしながら、図３に示したような、透光性樹脂モールド６の両端の位置を基板２の長さ方向の両端縁の位置に延在した構造とした場合に、基板のサイズが、例えば１．６ｍｍ×０．８ｍｍのように小型になると、図４に示すように、基板２の中心にＬＥＤチップを搭載する構成とすることはできなくなる。
【００１１】
図４のチップ型発光装置４０の例では、ＬＥＤチップ１を基板２の長さ方向の中心にずらした位置に搭載しており、金属線５の他方端５ｂは、基板２の端部に近づいた位置でワイヤボンデングされる。すなわち金属線５の他方端５ｂは、電極パターン４の表面側電極４ｂが切欠部８を覆う部分の位置でワイヤボンデングされる。
【００１２】
このように、金属線５の他方端５ｂをワイヤボンデングする位置は、切欠部８の上面を覆う表面側電極４ｂの上になっている。したがって、超音波でワイヤボンデング処理する際に、ワイヤボンデング処理される部分の下部には切欠部８が存在するために、ホ−ンを支持する部分の機械的強度が低下することになる。
【００１３】
このために、超音波処理の際に接合部に超音波を伝達するホーンに十分な押圧力が印加できず、電極パターン４の表面側電極４ｂと金属線５の他方端５ｂとの超音波による接合が不十分となる。前記超音波による接合の信頼性を高めるためには、図３に示す構成を採用することになるが、図３の例では、ＬＥＤチップ１は基板２の中心から偏心した位置に搭載されている。
【００１４】
【発明が解決しようとする課題】
図３の例では、ＬＥＤチップ１を基板２の中心に搭載できないので、その結果、ＬＥＤチップ１は透光性樹脂モ−ルド６に対しても中心からずれて配置されることになる。このため、図５の光度の特性図に示すように、基板の長さ方向で左右対称の光度分布が得られないという問題があった。
【００１５】
本発明はこのような問題に鑑みてなされたものであり、基板のサイズが小型化されても、基板の長さ方向で左右対称の光度分布が得られると共に、ワイヤボンデングの信頼性を高めることができる超小型のチップ型発光装置の提供を目的とする。
【００１６】
【課題を解決するための手段】
本発明の上記目的は、チップ型発光装置を、平面視略矩形状の基板と、基板表面の両端部に形成される第１および第２の電極パターンと、前記第１の電極パターン上に搭載される発光ダイオ−ド（ＬＥＤ）チップと、前記ＬＥＤチップと第２の電極パターンにワイヤボンデングで接続される金属線と、前記ＬＥＤチップおよび金属線を封止する透光性樹脂モールドとを備えるチップ型発光装置において、前記第１の電極パターン側の基板の端縁に一個所の切欠部を形成する一方、前記第２の電極パターン側の基板の端縁両側に二個所の切欠部を形成し、前記透光性樹脂モールドの両端の位置を基板の長さ方向の両端の位置に延在させた構成とすることにより達成できる。
【００１７】
本発明の上記特徴によれば、基板の一方端縁両側には二個所に切欠部を形成している。このため、ワイヤボンデングの位置が基板端部に近づいたとしても、当該二個所の切欠部に挟まれている基板上で第２の電極パターンと金属線とのワイヤボンデングを行なうので、ワイヤボンデングを安定して行なえ、ＬＥＤチップを基板の中央に搭載することができる。このため、基板の長さ方向でみて左右対称となる理想的な光度特性が得られる。
【００１８】
また、基板の一方端縁には切欠部は一個所形成され、他方の端縁には切欠部は二個所形成されているので、ＬＥＤチップの極性判別が容易となる。特に透光性樹脂モールドが乳白色の場合には、透光性樹脂モールド内に封止されているＬＥＤチップが見にくくなっているが、基板に形成されている切欠部の数が一方端縁では一個所であり、他方端縁では二個所であることから、非対称な電極構造であり、チップ型発光装置の外観から極性判別が簡単に行える。
【００１９】
更に、透光性樹脂モールドの両端の位置を基板の長さ方向の両端の位置に延在させているので、吸着面を増大させることができ、超小型のチップ型発光装置に対しても、ハンドリング処理を円滑に行なうことが可能となる。
【００２０】
【発明の実施の形態】
以下、本発明の実施の形態について図を参照して説明する。図１は本発明の実施の形態に係るチップ型発光装置１０の斜視図である。図２〜図４に示した従来例のチップ型発光装置と同じ部分または対応する部分については同一の符号を付しており、詳細な説明は省略する。
【００２１】
図１において、基板２の形状は、平面視略長方形状（例えば、長さ×幅のサイズが１．０ｍｍ×０．５ｍｍ）であり、基板２の表面両端部には、第１の電極パターン３と第２の電極パターン４が形成されている。基板２の一対の短手側の端縁の一方中央部には、厚み方向に貫通する半円筒形状の切欠部７が形成される。また、基板２の他方の短手側の端縁には、幅方向でみて両側二個所に厚み方向に貫通する１／４円筒形状の切欠部８ａ、８ｂが形成されている。
【００２２】
一方側の切欠部７および他方側の二個所の切欠部８ａ、８ｂの上には、ひさし状にそれぞれ第１および第２の電極パターン３、４の表面側電極３ａ、４ａが張り出している。また、これら切欠部７および切欠部８ａ、８ｂの内周面の側壁には、表面側電極３ａおよび表面側電極４ａと接続される側面電極３ｂ、４ｂが形成されて露出している。更に、裏面側電極３ｃ、４ｃが基板２の裏面両端に形成されている。
【００２３】
このように、基板２の一方の端縁両側に二個所の切欠部８ａ、８ｂを形成するには、一枚の大きな基板に複数のＬＥＤチップを搭載して複数のチップ型発光装置を製造する際に、切欠部を形成する位置を選定し、この大きな基板を個々のチップ型発光装置を形成するために縦方向および横方向に切断する位置を、図１に示した切欠部８ａ、８ｂの位置となるように設定することで実現できる。
【００２４】
基板２の表面中央部には、ＬＥＤチップ１が、その下面電極を表面側電極３ａと接続して搭載され、ＬＥＤチップ１の上面電極１ａは、金（Ａｕ）等の金属線５の一方端５ａで表面側電極４ａとワイヤボンデングされている。金属線５は、基板２の中央から、基板２の他方短手端縁の中央、すなわち、切欠部８ａ、８ｂ間の表面側電極４ａの位置へ向かって張設される。金属線５の他方端５ｂは、基板２の端部で表面側電極４ａと接続される。
【００２５】
前記第１の電極パターン３、第２の電極パターン４の表面側電極３ａ、４ａは、切欠部７と切欠部８ａ、８ｂ上を覆い、第１の電極パターン３、第２の電極パターン４の端部は、基板２の両端の位置に形成されている。また、透光性樹脂モールド６の両端の位置は、基板２の両端の位置に延在させている。
【００２６】
図１の構成では、切欠部８ａ、８ｂに挟まれた中央部に基板２が存在している。このため、金属線５の他方端５ｂと電極パターン４の表面側電極４ｂとの接続位置が、基板２の上に形成される。超音波装置のホーンは、この基板により下部から支持されるので、十分な押圧力を印加することができ、金属線５の他方端５ｂと電極パターン４の表面側電極４ｂとの超音波による接合が良好に行える。したがってワイヤボンデングの信頼性を高めることができる。
【００２７】
図６は、図１のチップ型発光装置の光度Ｉの分布を示す特性図である。図６に示すように、図１のチップ型発光装置１０は、ＬＥＤチップ１を基板２の中央に搭載することにより、基板２の長さ方向でみて左右対称となる理想的な光度特性が得られる。また、金属線５の他方端５ｂの位置が基板２の端部に近い位置まで延長されても、ワイヤボンデングを安定して行うことができる。
【００２８】
また、基板２の一方の端縁には切欠部が一個所形成され、他方の端縁には切欠部が二個所形成されているので、切欠部の個数をみることによりＬＥＤチップ１の極性判別が容易に行なえる。特に透光性樹脂モールド６が乳白色の場合には、透光性樹脂モールド６内に封止されているＬＥＤチップ１が見にくくなっているが、このような場合にもチップ型発光装置１０の外観から極性判別が簡単に行える。
【００２９】
なお、長さと幅が１．０ｍｍ×０．５ｍｍの大きさに選定されている超小型のチップ型発光装置においては、極性をレジストで表示することが困難であるので、前記のよう切欠部が形成されている個数により極性が判断できると、実務上の効果が大きい。
【００３０】
【発明の効果】
以上説明したように、本発明においては、基板の一方端縁両側に二個所に切欠部を形成している。このため、ワイヤボンデングの位置が基板端部に近づいたとしても、当該二個所の切欠部に挟まれている基板上で第２の電極パターンと金属線とのワイヤボンデングを行なうので、ワイヤボンデングを安定して行なえ、ＬＥＤチップを基板の中央に搭載することができる。このため、基板の長さ方向でみて左右対称となる理想的な光度特性が得られる。
【００３１】
また、基板の一方端縁には切欠部は一個所形成され、他方の端縁には切欠部は二個所形成されているので、ＬＥＤチップの極性判別が容易となる。特に透光性樹脂モールドが乳白色の場合には、透光性樹脂モールド内に封止されているＬＥＤチップが見にくくなっているが、基板に形成されている切欠部の数が一方端縁では一個所であり、他方端縁では二個所であることから、非対称な電極構造であり、チップ型発光装置の外観から極性判別が簡単に行える。
【００３２】
更に、透光性樹脂モールドの両端の位置を基板の長さ方向の両端の位置に延在させているので、吸着面を増大させることができ、超小型のチップ型発光装置に対しても、ハンドリング処理を円滑に行なうことが可能となる。
【図面の簡単な説明】
【図１】本発明の実施の形態に係るチップ型発光装置を示す斜視図である。
【図２】従来例のチップ型発光装置の概略の斜視図である。
【図３】従来例のチップ型発光装置の概略の斜視図である。
【図４】従来例のチップ型発光装置の概略の斜視図である。
【図５】従来例のチップ型発光装置の長さ方向の光度を示す特性図である。
【図６】本発明の実施の形態に係るチップ型発光装置の長さ方向の光度を示す特性図である。
【符号の説明】
１    ＬＥＤチップ
２    基板
３    第１の電極パターン
３ｐ  パッド部
４    第２の電極パターン
５    金属線
６    透光性樹脂モールド
７、８   切欠部
１０    チップ型発光装置
【図１】
0003795248.tif 000002
【図２】
0003795248.tif 000003
【図３】
0003795248.tif 000004
【図４】
0003795248.tif 000005
【図５】
0003795248.tif 000006
【図６】
0003795248.tif 000007